(57)【特許請求の範囲】
【請求項１】
ワイヤレス受電装置に電力信号を送信するワイヤレス送電装置であって、
直列に接続された共振キャパシタおよび送信コイルを含む送信アンテナと、
前記送信アンテナに駆動電圧を印加するブリッジ回路を含むドライバと、
前記ブリッジ回路に流れる電流を検出する電流センサと、
前記ブリッジ回路のスイッチング周波数を変化させながら前記ブリッジ回路に流れる前記電流を検出し、その結果にもとづいて異物の有無を判定する異物検出器と、
を備え、
前記異物検出器は、前記電流がピークとなる周波数ｆ０と、前記電流がピークから所定比率、低下したときの周波数ｆ１と、にもとづいて、異物の有無を判定することを特徴とするワイヤレス送電装置。
【請求項２】
前記異物検出器は、
（i）前記送信アンテナの共振周波数より低い周波数をスタートとして、前記ブリッジ回路のスイッチング周波数をスイープアップしながら、前記周波数ｆ０およびそのときの電流値ＩＭＡＸを取得し、
（ii）電流値ＩＭＡＸに前記所定比率を乗じた電流ＩＬＯＷを算出し、
（iii）さらに前記スイッチング周波数をスイープアップしながら、検出電流が前記電流ＩＬＯＷとなったときの周波数ｆ１を取得することを特徴とする請求項１に記載のワイヤレス送電装置。
【請求項３】
前記所定比率は、１／√２であることを特徴とする請求項１または２に記載のワイヤレス送電装置。
【請求項４】
前記異物検出器は、Ｑ＝ｆ０／（２×｜ｆ０−ｆ１｜）にしたがいＱ値を算出し、算出したＱ値にもとづいて異物の有無を判定することを特徴とする請求項３に記載のワイヤレス送電装置。
【請求項５】
前記異物検出器は、算出したＱ値と所定のしきい値の比較結果にもとづいて、異物の有無を判定することを特徴とする請求項４に記載のワイヤレス送電装置。
【請求項６】
前記異物検出器は、前記ワイヤレス受電装置から前記しきい値を受信することを特徴とする請求項５に記載のワイヤレス送電装置。
【請求項７】
前記電流センサは、ＤＣ電源から前記ブリッジ回路の上側電源端子に流入する電流を検出することを特徴とする請求項１から６のいずれかに記載のワイヤレス送電装置。
【請求項８】
前記ブリッジ回路の上側電源端子に接続された平滑キャパシタをさらに備えることを特徴とする請求項７に記載のワイヤレス送電装置。
【請求項９】
前記電流センサは、
検出対象の電流の経路上に設けられた検出抵抗と、
前記検出抵抗の電圧降下を増幅するセンスアンプと、
前記センスアンプの出力を受けるローパスフィルタと、
前記ローパスフィルタの出力をデジタル値に変換するＡ／Ｄコンバータと、
を含むことを特徴とする請求項１から８のいずれかに記載のワイヤレス送電装置。
【請求項１０】
前記電流センサは、送信電力を算出するために必要な電流を検出する電流検出回路と共用されることを特徴とする請求項１から９のいずれかに記載のワイヤレス送電装置。
【請求項１１】
Ｑｉ規格に準拠したことを特徴とする請求項１から１０のいずれかに記載のワイヤレス送電装置。
【請求項１２】
請求項１から１１のいずれかに記載のワイヤレス送電装置を備えることを特徴とする充電器。
【請求項１３】
ワイヤレス受電装置における異物検出方法であって、
前記ワイヤレス受電装置は、
直列に接続された共振キャパシタおよび送信コイルを含む送信アンテナと、
前記送信アンテナに駆動電圧を印加するブリッジ回路と、
を含み、
前記異物検出方法は、
前記ブリッジ回路のスイッチング周波数を変化させながら前記ブリッジ回路に流れる電流を検出するステップと、
前記電流がピークとなる周波数ｆ０と、前記電流がピークから所定比率低下したときの周波数ｆ１と、にもとづいて、異物の有無を判定するステップと、
を備えることを特徴とする異物検出方法。
【発明の詳細な説明】
【技術分野】
【０００１】
本発明は、ワイヤレス給電技術に関し、特に異物検出に関する。
【背景技術】
【０００２】
近年、電子機器に電力を供給するために、ワイヤレス給電が普及し始めている。異なるメーカーの製品間の相互利用を促進するために、ＷＰＣ（Wireless Power Consortium）が組織され、ＷＰＣにより国際標準規格であるＱｉ（チー）規格が策定された。
【０００３】
Ｑｉ規格にもとづいたワイヤレス給電は、送信コイルと受信コイル間の電磁誘導を利用したものである。給電システムは、送信コイルを有する給電装置と、受信コイルを有する受電端末で構成される。
【０００４】
図１は、Ｑｉ規格に準拠したワイヤレス給電システム１０の構成を示す図である。給電システム１０は、送電装置２０（ＴＸ、Power Transmitter）と受電装置３０（ＲＸ、Power Receiver）と、を備える。受電装置３０は、携帯電話端末、スマートホン、オーディオプレイヤ、ゲーム機器、タブレット端末などの電子機器に搭載される。
【０００５】
送電装置２０は、送信コイル（１次コイル）２２、ドライバ２４、コントローラ２６、復調器２８を備える。ドライバ２４は、Ｈブリッジ回路（フルブリッジ回路）あるいはハーフブリッジ回路を含み、送信コイル２２に駆動信号Ｓ１、具体的にはパルス信号を印加し、送信コイル２２に流れる駆動電流により、送信コイル２２に電磁界の電力信号Ｓ２を発生させる。コントローラ２６は、送電装置２０全体を統括的に制御するものであり、具体的には、ドライバ２４のスイッチング周波数、あるいはスイッチングのデューティ比を制御することにより、送信電力を変化させる。
【０００６】
Ｑｉ規格では、送電装置２０と受電装置３０の間で通信プロトコルが定められており、受電装置３０から送電装置２０に対して、制御信号Ｓ３による情報の伝達が可能となっている。この制御信号Ｓ３は、後方散乱変調（Backscatter modulation）を利用して、ＡＭ（Amplitude Modulation）変調された形で、受信コイル３２（２次コイル）から送信コイル２２に送信される。この制御信号Ｓ３には、たとえば、受電装置３０に対する電力供給量を制御する電力制御データ（パケットともいう）、受電装置３０の固有の情報を示すデータなどが含まれる。復調器２８は、送信コイル２２の電流あるいは電圧に含まれる制御信号Ｓ３を復調する。コントローラ２６は、復調された制御信号Ｓ３に含まれる電力制御データにもとづいて、ドライバ２４を制御する。
【０００７】
受電装置３０は、受信コイル３２、整流回路３４、平滑コンデンサ３６、変調器３８、負荷４０、コントローラ４２、電源回路４４を備える。受信コイル３２は、送信コイル２２からの電力信号Ｓ２を受信するとともに、制御信号Ｓ３を送信コイル２２に対して送信する。整流回路３４および平滑コンデンサ３６は、電力信号Ｓ２に応じて受信コイル３２に誘起される電流Ｓ４を整流・平滑化し、直流電圧に変換する。
【０００８】
電源回路４４は、送電装置２０から供給された電力を利用して図示しない二次電池を充電し、あるいは直流電圧ＶＲＥＣＴを昇圧あるいは降圧し、コントローラ４２やその他の負荷４０に供給する。
【０００９】
コントローラ４２は、負荷４０に供給される電力をモニタし、それに応じて、送電装置２０からの電力供給量を制御する電力制御データを生成する。変調器３８は、電力制御データを含む制御信号Ｓ３を変調し、受信コイル３２のコイル電流を変調することにより、送信コイル２２のコイル電流およびコイル電圧を変調する。
【００１０】
この給電システム１０では、送電装置２０と受電端末（電子機器）は、比較的自由な空間に配置されるため、送信コイル２２と受信コイル３２の間、あるいはその近傍に、金属片などの導電性の異物（Foreign Object）が置かれる状況が生じうる。この状態でワイヤレス給電が行われると、異物に電流が流れ、電力損失が発生してしまう。また異物が発熱するという問題がある。かかる状況に鑑みて、ＷＰＣ１．１（System Description Wireless Power Transfer Volume I: Low Power Part 1: Interface Definition Version 1.1）仕様において、異物検出（ＦＯＤ：Foreign Object Detection）が策定された。
【００１１】
このＦＯＤでは、送電装置２００が送出した電力と、受電装置３００が受信した電力と、が比較され、それらの間に許容値を超える不一致が発生した場合に、異物が存在するものと判定される。
【００１２】
現在、中電力向けＱｉ規格（Volume II Middle Power）の策定が進められており、別方式のＦＯＤ方式が模索されている。その中のひとつとして、送信コイル（アンテナ）のＱ値を利用したものが挙げられる。具体的には、送信コイルに異物が近接すると、送信アンテナのＱ値が変化することを利用して、異物の有無を判定しようとするものである。
【先行技術文献】
【特許文献】
【００１３】
【特許文献１】特開２０１３−３８８５４号公報
【特許文献２】特許第５０７１５７４号公報
【発明の概要】
【発明が解決しようとする課題】
【００１４】
本発明は係る課題に鑑みてなされたものであり、そのある態様の例示的な目的のひとつは、異物検出可能な送電装置の提供にある。
【課題を解決するための手段】
【００１５】
本発明のある態様は、ワイヤレス受電装置に電力信号を送信するワイヤレス送電装置に関する。ワイヤレス送電装置は、直列に接続された共振キャパシタおよび送信コイルを含む送信アンテナと、送信アンテナに駆動電圧を印加するブリッジ回路を含むドライバと、ブリッジ回路に流れる電流を検出する電流センサと、ブリッジ回路のスイッチング周波数を変化させながらブリッジ回路に流れる電流を検出し、その結果にもとづいて異物の有無を判定する異物検出器と、を備える。
【００１６】
ブリッジ回路に流れる電流の周波数特性、たとえばピークを与えるセンター周波数や、バンド幅は、送信アンテナ２０１の周囲の状況に応じて変化するため、ブリッジ回路に流れる電流の周波数特性を検出することで、異物を検出できる。この態様によると、異物検出器の回路構成を従来よりも著しく簡略化し、コストを下げることができる。
【００１７】
異物検出器は、電流がピークとなる周波数ｆ０と、電流がピークから所定比率、低下したときの周波数ｆ１と、にもとづいて、異物の有無を判定してもよい。
【００１８】
異物検出器は、（i）送信アンテナの共振周波数より低い周波数をスタートとして、ブリッジ回路のスイッチング周波数ｆＳＷをスイープアップしながら、周波数ｆ０およびそのときの電流値ＩＭＡＸを取得し、（iii）電流値ＩＭＡＸに所定比率を乗じた電流ＩＬＯＷを算出し、（iii）さらにスイッチング周波数ｆＳＷをスイープアップしながら、検出電流が電流ＩＬＯＷとなったときの周波数ｆ１を取得してもよい。
【００１９】
所定比率は、１／√２であってもよい。
【００２０】
異物検出器は、Ｑ＝ｆ０／（２×｜ｆ０−ｆ１｜）にしたがいＱ値を算出し、算出したＱ値と所定のしきい値の比較結果にもとづいて、異物の有無を判定してもよい。
【００２１】
異物検出器は、ワイヤレス受電装置からしきい値を受信してもよい。
【００２２】
電流センサは、ＤＣ電源からブリッジ回路の上側電源端子に流入する電流を検出してもよい。
この場合、電流を直流に近い信号として測定できるため、精度を高めることができる。特にブリッジ回路の上側電源端子に平滑キャパシタが接続される場合、この効果は顕著である。
【００２３】
電流センサは、ブリッジ回路の下側電源端子から接地に流出する電流を検出してもよい。
この場合、電流を直流に近い信号として測定できるため、精度を高めることができる。
【００２４】
電流センサは、検出対象の電流の経路上に設けられた検出抵抗と、検出抵抗の電圧降下を増幅するセンスアンプと、センスアンプの出力を受けるローパスフィルタと、ローパスフィルタの出力をデジタル値に変換するＡ／Ｄコンバータと、を含んでもよい。
【００２５】
電流センサは、送信電力を算出するために必要な電流を検出する電流検出回路と共用されてもよい。
この場合、追加のハードウェアをさらに削減できる。
【００２６】
ワイヤレス送電装置は、Ｑｉ規格に準拠してもよい。
【００２７】
本発明の別の態様は、充電器に関する。充電器は、上述のいずれかのワイヤレス送電装置を備える。
【００２８】
なお、以上の構成要素の任意の組み合わせや、本発明の構成要素や表現を、方法、装置、システムなどの間で相互に置換したものもまた、本発明の態様として有効である。
【発明の効果】
【００２９】
本発明のある態様によれば、異物を検出できる。
【図面の簡単な説明】
【００３０】
【図１】Ｑｉ規格に準拠したワイヤレス給電システムの構成を示す図である。
【図２】実施の形態に係るワイヤレス送電装置を備える給電システムのブロック図である。
【図３】ブリッジ回路のスイッチング周波数ｆＳＷと電流ＩＳの関係を示す図である。
【図４】異物検出シーケンスの一例を示すフローチャートである。
【図５】送電装置の構成例を示す回路図である。
【図６】図５の送電装置の動作波形図である。
【図７】送電装置を備える充電器の回路図である。
【発明を実施するための形態】
【００３１】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３２】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３３】
図２は、実施の形態に係るワイヤレス送電装置を備える給電システム１００のブロック図である。給電システム１００は、送電装置２００（ＴＸ、Power Transmitter）と受電装置３００（ＲＸ、Power Receiver）と、を備える。受電装置３００は、携帯電話端末、スマートホン、オーディオプレイヤ、ゲーム機器、タブレット端末などの電子機器に搭載される。
【００３４】
送電装置２００は、たとえば充電台を有する充電器に搭載される。送電装置２００は、送信コイル（１次コイル）２０２、ドライバ２０４、コントローラ２０６、復調器２０８、ＤＣ電源２１０、電流センサ２２０を備える。
【００３５】
ドライバ２０４は、Ｈブリッジ回路（フルブリッジ回路）あるいはハーフブリッジ回路を含み、送信コイル２０２に駆動信号Ｓ１、具体的にはパルス信号を印加し、送信コイル２０２に流れる駆動電流により、送信コイル２０２に電磁界の電力信号Ｓ２を発生させる。本実施の形態では、ハーフブリッジ回路２０５が使用される。ハーフブリッジ回路２０５の上側電源端子Ｐ１には、ＤＣ電源２１０からの電源電圧ＶＤＤが供給され、下側電源端子Ｐ２は接地される。上側電源端子Ｐ１には平滑キャパシタＣＳが接続される。
【００３６】
コントローラ２０６は、送電装置２００全体を統括的に制御するものであり、具体的には、ドライバ２０４のスイッチング周波数ｆＳＷ、あるいはスイッチングのデューティ比を制御することにより、送信電力を変化させる。コントローラ２０６の機能、構成については、後述する異物検出器２３０に関するものを除いて、公知技術を用いればよいため、説明を省略する。
【００３７】
Ｑｉ規格では、送電装置２００と受電装置３００の間で通信プロトコルが定められており、受電装置３００から送電装置２００に対して、制御信号Ｓ３による情報の伝達が可能となっている。この制御信号Ｓ３は、後方散乱変調（Backscatter modulation）を利用して、ＡＭ（Amplitude Modulation）変調された形で、受信コイル３０２（２次コイル）から送信コイル２０２に送信される。この制御信号Ｓ３には、たとえば、受電装置３００に対する電力供給量を制御する電力制御データ（パケットともいう）、受電装置３００の固有の情報を示すデータなどが含まれる。また制御信号Ｓ３には、送信アンテナ２０１のＱ値の適正範囲を規定するしきい値が含まれてもよい。
【００３８】
復調器２０８は、送信コイル２０２の電流あるいは電圧に含まれる制御信号Ｓ３を復調する。コントローラ２０６は、復調された制御信号Ｓ３に含まれる電力制御データにもとづいて、ドライバ２０４を制御する。
【００３９】
続いて、送電装置２００における異物検出（ＦＯＤ）について説明する。
ＦＯＤに関して、送電装置２００は、電流センサ２２０およびコントローラ２０６の異物検出器（Foreign Object Detector）２３０を備える。
【００４０】
電流センサ２２０は、ブリッジ回路２０５に流れる電流ＩＳを検出し、検出した電流量を示す電流検出値Ｓ４を生成する。電流検出値Ｓ４は、コントローラ２０６の異物検出器２３０に入力される。「ブリッジ回路に流れる電流」とは、ブリッジ回路の入力電流もしくは、いずれかのアームに流れる電流を含み、出力電流、すなわちアンテナに流れるコイル電流は含まない。またブリッジ回路の入力電流は、ブリッジ回路２０５の上側電源端子に流入する電流、下側電源端子から流出する電流を含む。
【００４１】
受電装置３００への送電開始前に、以下の異物検出処理を実行する。
具体的には異物検出器２３０は、ブリッジ回路２０５のスイッチング周波数ｆＳＷを変化させながらブリッジ回路２０５に流れる電流ＩＳを検出し、その結果にもとづいて異物の有無を判定する。
【００４２】
以上が送電装置２００の基本構成である。続いて異物検出器２３０の原理、動作を説明する。
【００４３】
図３は、ブリッジ回路２０５のスイッチング周波数ｆＳＷと電流ＩＳの関係を示す図である。本発明者は、ブリッジ回路２０５に流れる電流ＩＳのスイッチング周波数依存性について検討したところ、たとえばピークＩＭＡＸを与えるセンター周波数ｆ０、バンド幅（周波数特性という）Δｆが、送信アンテナ２０１の周囲の状況に応じて変化することを認識するに至った。
【００４４】
バンド幅Δｆは、たとえば電流量ＩＳがピークＩＭＡＸから所定比率、低下したときのスイッチング周波数ｆＳＷを与える周波数ｆ１を用いて、
Δｆ＝２×｜ｆ０−ｆ１｜      …（１）
で定義される。所定比率は、１／√２、１／２、１／ｅなどを使用しうるが、電気通信の分野では１／√２を採るのが通常である。
【００４５】
図２の送電装置２００によれば、電流センサ２２０により、ブリッジ回路２０５に流れる電流ＩＳの周波数特性を検出し、周波数特性の変化を監視することにより、異物を検出することができる。
【００４６】
この方法によれば、ブリッジ回路２０５に流れる電流ＩＳを測定すれば足りるため、異物検出器２３０の回路構成を従来よりも著しく簡略化し、コストを下げることができる。
【００４７】
ここで、センター周波数ｆ０の変動のみでは、異物検出の精度が低い場合もある。そこで異物検出器２３０は、電流ＩＳがピークＩＭＡＸとなる周波数ｆ０と、電流ＩＭＡＸがピークＩＭＡＸから所定比率１／√２、低下したときの周波数ｆ１と、にもとづいて、異物の有無を判定することが望ましい。
【００４８】
Ｑｉ規格に準拠した送電装置２００においては、送信アンテナ２０１のＱ値にもとづいて、異物を検出してもよい。
Ｑ＝Ｉ０／Δｆ＝ｆ０／（２×｜ｆ０−ｆ１｜）
【００４９】
図４は、異物検出シーケンスの一例を示すフローチャートである。
送信アンテナ２０１の共振周波数ｆＲより低い所定の周波数ｆＳをスタート周波数とし、スイッチング周波数ｆＳＷをスイープアップする。
【００５０】
スイープアップの過程において、周波数ｆ０およびそのときの電流値ＩＭＡＸを取得する（Ｓ１０２）。続いて、ピーク電流値ＩＭＡＸに所定比率１／√２を乗じた電流ＩＬＯＷを算出する（Ｓ１０４）。（iii）さらにスイッチング周波数ｆＳＷをスイープアップしながら、検出電流ＩＳが算出した電流ＩＬＯＷとなったときの周波数ｆ１を取得し（Ｓ１０６）、Ｑ値を算出する（Ｓ１０８）。
【００５１】
異物検出器２３０はこのように得られたＱ値にもとづいて、異物の有無を判定する（Ｓ１１０）。より具体的には異物検出器２３０は、算出したＱ値と所定のしきい値の比較結果にもとづいて、異物の有無を判定することができる。ここで異物検出器２３０は、所定のしきい値を、ワイヤレス受電装置から受信してもよい。以上が異物検出のフローである。
【００５２】
続いて送電装置２００の具体的な構成例を説明する。図５は、送電装置２００の構成例を示す回路図である。
【００５３】
電流センサ２２０は、ＤＣ電源２１０からブリッジ回路２０５の上側電源端子Ｐ１に流入する電流（入力電流という）ＩＳを検出対象とする。電流センサ２２０は、検出対象の電流ＩＳの経路上に設けられた検出抵抗ＲＳと、検出抵抗ＲＳの電圧降下ＶＳを増幅するセンスアンプ２２２と、センスアンプ２２２の出力を受けるローパスフィルタ２２４と、ローパスフィルタ２２４の出力をデジタル値に変換するＡ／Ｄコンバータ２２６と、を備える。上側電源端子Ｐ１には平滑キャパシタＣＳが接続されており、したがって電流センサ２２０は、平滑キャパシタＣＳに流れ込む電流ＩＳを測定しているものと把握することもできる。入力電流ＩＳを検出対象とすることで、保護動作の観点からも有利である。
【００５４】
送電装置２００には、自身の送信電力を算出する機能を具備する場合が多く、従来の送電装置も、電力算出のために電流検出のための回路を備えている。この場合、そこで電流センサ２２０は、電力算出のための電流検出回路と共用（流用）することができる。
【００５５】
図６は、図５の送電装置２００の動作波形図である。図６には、送信アンテナ２０１に流れる電流ＩＣＯＩＬと、ブリッジ回路２０５への入力電流ＩＳ、ローパスフィルタ２２４の出力信号Ｓ５が示される。
理論的には、入力電流ＩＳは、ブリッジ回路２０５のハイサイドトランジスタがオンの期間のコイル電流ＩＣＯＩＬに相当するため、入力電流ＩＳは半波形であるが、ブリッジ回路２０５の上側電源端子Ｐ１（ＤＣ電源２１０の出力）には、平滑用のキャパシタＣＳが接続されるため、入力電流ＩＳは、コイル電流ＩＣＯＩＬの振幅に応じたＤＣ成分と、スイッチング周波数ｆＳＷに応じた交流成分の和となる。ローパスフィルタ２２４によって、スイッチング周波数ｆＳＷに応じた交流成分を除去することにより、ＤＣ成分、すなわちコイル電流ＩＣＯＩＬを検出できる。
【００５６】
続いて送電装置２００の用途を説明する。図７は、送電装置２００を備える充電器４００の回路図である。充電器４００は、受電装置３００を備える電子機器５００を充電する。充電器４００は、筐体４０２、充電台４０４、回路基板４０６、を備える。給電対象の電子機器は、充電台４０４上に載置される。ドライバ２０４やコントローラ２０６その他の回路部品は、回路基板４０６上に実装される。送信アンテナ２０１は、充電台４０４の直下にレイアウトされる。充電器４００は、ＡＣ／ＤＣコンバータ４１０により直流電圧を受けてもよいし、ＡＣ／ＤＣコンバータを内蔵してもよい。あるいは充電器４００は、ＵＳＢ（Universal Serial Bus）などの給電線を備えるバスを介して、外部からＤＣ電力の供給を受けてもよい。
【００５７】
実施の形態は例示であり、それらの各構成要素や各処理プロセスの組み合わせにいろいろな変形例が可能なこと、またそうした変形例も本発明の範囲にあることは当業者に理解されるところである。以下、こうした変形例を説明する。
【００５８】
（第１の変形例）
電流センサ２２０が監視する電流は、ブリッジ回路の入力電流ＩＳには限定されない。たとえばブリッジ回路２０５よりも接地側に検出抵抗ＲＳを挿入してもよい。ただし、接地側で電流を測定する場合には、平滑キャパシタＣＳによる電流の平滑化の効果が期待できなないため、追加の回路および信号処理が必要となる場合もある。ただしこの場合であっても、ブリッジ回路２０５の出力電流（つまりコイル電流ＩＣＯＩＬ）を測定する場合に比べれば、回路構成および信号処理を簡略化できるというメリットは享受できる。
【００５９】
また、検出抵抗ＲＳを挿入する代わりに、ブリッジ回路２０５のスイッチングトランジスタ（ハイサイドトランジスタまたはローサイドトランジスタ）のオン抵抗を利用してもよい。ただし、スイッチングトランジスタのオン抵抗を利用する場合、ブリッジ回路の内部電流を測定することになるため、平滑キャパシタＣＳによる電流の平滑化の効果が期待できず、追加の回路および信号処理が必要となる場合もある。ただしこの場合であっても、ブリッジ回路２０５の出力電流（つまりコイル電流ＩＣＯＩＬ）を測定する場合に比べれば、回路構成および信号処理を簡略化できるというメリットは享受できる。
【００６０】
（第２の変形例）
実施の形態では、ハーフブリッジ回路のドライバ２０４について説明したが、Ｈブリッジ回路にも適用可能である。
【００６１】
（第３の変形例）
実施の形態では、Ｑ値にもとづいて異物検出する場合を説明したが、本発明はそれには限定されない。Ｑｉ規格以外の、将来策定されるであろう規格においては、Ｑ値によらずに、センター周波数ｆ０や、バンド幅Δｆの変化にもとづいて、異物を検出しうる。
【００６２】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６３】
１００…給電システム、２００，ＴＸ…送電装置、２０１…送信アンテナ、２０２…送信コイル、２０４…ドライバ、２０５…ブリッジ回路、２０６…コントローラ、２０８…復調器、２１０…ＤＣ電源、２２０…電流センサ、２２２…センスアンプ、２２４…ローパスフィルタ、２２６…Ａ／Ｄコンバータ、２３０…異物検出器、３００，ＲＸ…受電装置、３０２…受信コイル、Ｓ１…駆動信号、Ｓ２…電力信号、Ｓ３…制御信号、Ｓ４…電流検出値、４００…充電器、４０２…筐体、４０４…充電台、４０６…回路基板、５００…電子機器。
【図１】
0006410641.tif 000002
【図２】
0006410641.tif 000003
【図３】
0006410641.tif 000004
【図４】
0006410641.tif 000005
【図５】
0006410641.tif 000006
【図６】
0006410641.tif 000007
【図７】
0006410641.tif 000008